(57)【要約】【課題】本体に対し回動可能に備えられる回動部材の回動軸の回動状態を検出するカムが偏芯した回転となってしまっても、回動部材の回動状態検出精度を低下させずに保つようにする。【解決手段】本体１に対し回動軸４を介して回動可能に組み付けられる回動部材３と、その回動軸４の回動状態を伝達する伝達部材５と、その伝達部材５に可動状態で連結され、伝達部材５の回動状態に応じてＯＮ／ＯＦＦ動作する回動状態検出スイッチ７を搭載するスイッチ搭載部材６と、本体１に固定され、スイッチ搭載部材６をフローティング状態で支持するフローティング支持部材８と、を備える。具体的には、伝達部材５は、回動軸４の一端の軸部４ａから軸線方向に離れた位置に配置されて、回動状態検出スイッチ７のレバー７ａを押してスイッチＯＮ動作させるカムである。【選択図】図２
2015068940.tif 000002
【特許請求の範囲】
【請求項１】
本体に対し回動軸を介して回動可能に組み付けられる回動部材と、
前記回動軸の回動状態を伝達する伝達部材と、
前記伝達部材に可動状態で連結され、前記伝達部材の回動状態に応じてＯＮ／ＯＦＦ動作する回動状態検出スイッチを搭載するスイッチ搭載部材と、
前記本体に固定され、前記スイッチ搭載部材をフローティング状態で支持するフローティング支持部材と、を備えることを特徴とする回動部材の回動状態検出機構。
【請求項２】
前記伝達部材は、前記回動軸の一端の軸部から軸線方向に離れた位置に配置されることを特徴とする請求項１に記載の回動部材の回動状態検出機構。
【請求項３】
前記伝達部材は、前記回動状態検出スイッチのレバーを押してスイッチＯＮ動作させる  カムであることを特徴とする請求項１または２に記載の回動部材の回動状態検出機構。
【請求項４】
前記スイッチ搭載部材は、
前記伝達部材の軸穴に挿入される軸部を一端部に有して、
前記フローティング支持部材に対し上下動及び回動可能で左右方向のみ規制した状態でフローティング支持される突起を他端部に有していることを特徴とする請求項１から３のいずれか一項に記載の回動部材の回動状態検出機構。
【請求項５】
前記フローティング支持部材は、前記スイッチ搭載部材の一部を挿入して上下動及び回動可能で左右方向のみ規制した状態でフローティング支持する溝を有していることを特徴とする請求項１から４のいずれか一項に記載の回動部材の回動状態検出機構。
【請求項６】
請求項１から５のいずれか一項に記載の回動状態検出機構付きの回動部材を備えることを特徴とする電子機器。
【発明の詳細な説明】
【技術分野】
【０００１】
本発明は、液晶モニタ等の回動部材の回動状態検出機構と、その回動状態検出機構付きの回動部材を備える電子機器に関する。
【背景技術】
【０００２】
例えばビデオカメラにおいて、カメラ本体に２軸ヒンジを介して備えられる液晶モニタの回転検出スイッチ機構が特許文献１に開示されている。
特許文献１に開示される回転検出スイッチ機構では、その図面中の符号を併記すれば、カム（回転軸体）２０は金属プレート（回転規制部材）１７の孔（支持孔）１７ａに軸着してから液晶モニタ（画像表示部）３に係合している。その液晶モニタ３を公報図６において時計回りに回動すると、カム２０も同様に回動し、突起（回転規制片）２０ｃが金属プレート１７に載置されているスイッチ（回転検出スイッチ）２６のレバー（押圧レバー）２６ｃを押し、スイッチ２６がＯＮになる。
【０００３】
また、デジタルカメラにおいて、カメラ本体に２軸ヒンジを介して備えられる液晶モニタの回転検出スイッチ機構が特許文献２、３に提案されている。
【先行技術文献】
【特許文献】
【０００４】
【特許文献１】特開２００３‐５１９７０号公報
【特許文献２】特開２００７‐９６８８８号公報
【特許文献３】特開２０１２‐２１６９３８号公報
【発明の概要】
【発明が解決しようとする課題】
【０００５】
ところで、特許文献１の回転検出スイッチ機構では、カム２０と金属プレート１７間の隙間が大きかったり、逆に隙間を小さくしたりすると、カム２０と金属プレート１７とにガタツキが生じたり、回動動作が渋くなったりしてしまう。また、スイッチ２６の載置位置が悪かったりすると、レバー２６ｃの角度（位置）がズレてしまう。
従って、スイッチ２６の角度検出精度が落ちるばかりでなく、最悪の場合、突起２０ｃがレバー２６ｃを押せずに空振りしたり、レバー２６ｃ自体は押せてもスイッチ２６内部の接点をＯＮさせるまで届かないなどの問題が生じることもある。
【０００６】
また、カム２０と金属プレート１７のガタツキやスイッチ２６の載置位置の不正確さによって、スイッチ２６がＯＮする位置もズレて、結果的に液晶モニタ３の回動角度がマチマチでスイッチ２６がＯＮする羽目になる。
カメラの液晶モニタのように、９０°〜１８０°といった大まかな回動を検出するだけなら問題にならないかもしれないが、例えば１８０°回動可能なものにおいて、９０°を超えたか超えないかで各種処理を異ならすような場合とか、もっとシビアに回動角を検出しなければならない機器では大きな問題となりうる。
【０００７】
仮に、カム２０と金属プレート１７とのガタツキやスイッチ２６の載置位置のズレが無かった場合であっても、強度やデザインや設計の都合上、液晶モニタが軸支されている個所から離れた場所にカムや回転検出スイッチを設けると、軸支中心点からズレてしまい、カムが偏芯した回転となって、正確な回動角度の検出が行えなくなってしまうことがある。また、カムや回転検出スイッチを離れた場所に設けずとも、軸支中心点とカムの回動中心点とがズレた状態に組み付けてしまった場合は、カムが偏芯した回転となってしまい、同じ問題が生じる。
【０００８】
このような問題は、特許文献２、３の回転検出スイッチ機構でも同様にある。
【０００９】
本発明の課題は、本体に対し回動可能に備えられる回動部材の回動軸の回動状態を検出するカムが偏芯した回転となってしまっても、回動部材の回動状態検出精度を低下させずに保つようにすることである。
【課題を解決するための手段】
【００１０】
以上の課題を解決するため、本発明は、
本体に対し回動軸を介して回動可能に組み付けられる回動部材と、
前記回動軸の回動状態を伝達する伝達部材と、
前記伝達部材に可動状態で連結され、前記伝達部材の回動状態に応じてＯＮ／ＯＦＦ動作する回動状態検出スイッチを搭載するスイッチ搭載部材と、
前記本体に固定され、前記スイッチ搭載部材をフローティング状態で支持するフローティング支持部材と、を備える回動部材の回動状態検出機構を特徴とする。
【発明の効果】
【００１１】
本発明によれば、回動部材の回動軸の回動状態を検出するカムが偏芯した回転となってしまっても、回動部材の回動状態を精度良く検出することができる。
また、回動状態検出スイッチの取付位置調整の必要がないので、生産性を向上することができる。
【図面の簡単な説明】
【００１２】
【図１】本発明を適用した電子機器の一実施形態の構成としてカメラを示す斜視図で、正面側から見た図（ａ）と、背面側から見た図（ｂ）である。
【図２】図１（ｂ）の回動状態検出機構の分解拡大図である。
【図３】図２のスイッチ搭載部材の拡大図（ａ）と、その反対側から見た図（ｂ）である。
【図４】図２のフローティング支持部材の要部拡大図である。
【図５】図１の回動部材の開閉角が０°の状態を示す側断面図である。
【図６】図５の要部拡大図である。
【図７】図１の回動部材の開閉角が概ね１３５°の状態を示す側断面図である。
【図８】図７の要部拡大図である。
【図９】図１の回動部材の開閉角が概ね１８０°の状態を示す側断面図である。
【図１０】図９の要部拡大図である。
【発明を実施するための形態】
【００１３】
以下、図を参照して本発明を実施するための形態を詳細に説明する。
（実施形態）
図１（ａ）及び（ｂ）は本発明を適用した電子機器の一実施形態の構成としてカメラを示すものである。
【００１４】
図示のように、カメラは、本体１の背面側から液晶モニタ３が左右一対の板金製の回動軸４を中心に一体に回動して、概ね１８０°開いて本体１上に液晶モニタ３が垂直に立った状態となっている。
【００１５】
図２は液晶モニタ３の回転状態検出機構を分解して拡大した状態を示す。
【００１６】
液晶モニタ３は、図示のように、板金製の回動軸４の一側部の軸部４ａを、本体１背面の上部に固定される固定板２の一側部に回転可能に軸受結合して、回動軸４を中心にして回動する。
【００１７】
図示例において、板金製の回動軸４が本体１背面側に出っ張っているのは、本体１の上面に逃げの切欠きを形成する必要をなくすためや、液晶モニタ３を上方へ垂直に立てるためなどである。そして、板金製の回動軸４の幅が広いのは、必要な強度を確保するためである。
【００１８】
なお、板金製の回動軸４の内面には、図示しないが、略同形状の樹脂板が貼り付けられており、その樹脂板の他側部にカム５が一体成型されている。
従って、カム５に回動状態が伝達されて、回動軸４と一体にカム５も回動する。
【００１９】
カム５は、スイッチホルダー６の上部の切欠き６ｄ（図３参照）を貫通して、回動状態検出スイッチ７のレバー７ａを押して、スイッチＯＮにする。
このカム５には、回動軸４の一側部の軸部４ａと同軸上の軸穴５ａが形成されており、この軸穴５ａに、回動状態検出スイッチ７を搭載するスイッチホルダー６の軸部６ａが挿入されている。
【００２０】
なお、本体１の背面上部には、液晶モニタ３の折り畳み時に板金製の回動軸４を収納するための窪みが形成されている。このため、その窪みの外側において、カム５、スイッチホルダー６、回動状態検出スイッチ７及び固定部材８からなる回動状態検出機構が本体１の背面上部に内蔵されている。
【００２１】
スイッチホルダー６には、図３（ａ）及び（ｂ）に示すように、上部に軸部６ａが、上下中間部に窪み状のスイッチ取付部６ｂが、下部に組付け用突起６ｃが、さらに上部に切欠き６ｄがそれぞれ形成されている。
このスイッチホルダー６は、スイッチ取付部６ｂ内に、上部にレバー７ａを備える回動状態検出スイッチ（以下、単にスイッチと呼ぶ）７を取り付けて搭載し、図示のような上下中間部の窪み形状及びその上下部の立体形状により強度を確保している。
【００２２】
そして、組付け用突起６ｃは、図示のように、スイッチホルダー６の板面から軸部６ａと同じ方向に突出する略円柱形状になっている。
【００２３】
固定部材８は、本体１背面の上部に固定されて、スイッチホルダー６がフローティング支持される組込部８ａを形成したフローティング支持部材である。
この固定部材８は、図示のような本体１背面の上部に固定される板形状及びその側方に突出する組込部８ａを含む立体形状により強度を確保している。
【００２４】
そして、組込部８ａには、図４に示すように、略上半部に開口８ｂが形成されて、略下半部に縦方向の溝８ｃが形成されている。この溝８ｃは開口８ｂの中央に連続している。
【００２５】
以上の固定部材８の組込部８ａにおいて、スイッチホルダー６の略円柱形状の組付け用突起６ｃが、開口８ｂから溝８ｃに嵌ることで、上下動及び回動が可能で、左右方向のみ動きが規制された状態でスイッチホルダー６がフローティング支持される。
なお、スイッチホルダー６の組付け用突起６ｃは、その略円柱形状や固定板２と固定部材８の位置関係により、固定部材８の溝８ｃから外れないようになっている。
【００２６】
図５に液晶モニタ３の開閉角が０°の状態（本体１背面側に折り畳んだ状態）を示す。
【００２７】
図６に拡大して示すように、カム５は上方に位置しておりスイッチ７のレバー７ａとは接触してなく、スイッチ７はＯＦＦとなっている。
【００２８】
図７に液晶モニタ３の開閉角が概ね１３５°の状態（本体１上方に立ち上がる途中状態）を示す。
【００２９】
図８に拡大して示すように、カム５は回動してスイッチ７のレバー７ａと接触したところで、スイッチ７はまだＯＦＦとなっているが、液晶モニタ３がさらに回動すると、スイッチ７はＯＮになる。
【００３０】
図９に液晶モニタ３の開閉角が概ね１８０°の状態（本体１上方に垂直状態）を示す。
【００３１】
図１０に拡大して示すように、カム５はスイッチ７のレバー７ａを押し込み、スイッチ７はＯＮになっている。
【００３２】
以上において、スイッチホルダー６は、その軸部６ａでカム５の軸穴５ａに挿入されており、たとえ、液晶モニタ３の回動軸４の軸部４ａがガタついて回動したり、カム５の軸穴５ａが回動軸４の軸部４ａに対して偏芯して回動したりしても、カム５とスイッチ７の相対位置が変わらず追従する。
従って、スイッチ７のレバー７ａとカム５の位置関係は常に一定になり、カム５はスイッチ７のレバー７ａを精度良く押すことになる。
【００３３】
一方、スイッチホルダー６は組付け用突起６ｃが、固定部材８の溝８ｃに嵌って左右方向の動きが規制されているので、概ね一定の角度で保持される。
よって、スイッチホルダー６に支持されているスイッチ７は、概ね一定の角度を保ち、精度良くカム５を検出することができる。
また、スイッチホルダー６は、固定部材８に対して上下動及び回動が許容されているので、回動軸４の軸部４ａに対してカム５の軸穴５ａが偏芯していても、回動時に各部が破損するようなことがない。
【００３４】
すなわち、液晶モニタ３の板金製の回動軸４に一体化したカム５が軸部４ａと偏芯して回動しても、スイッチ７のレバー７ａとカム５の位置関係は常に一定なためと、スイッチホルダー６の組付け用突起６ｃが左右方向の動きを規制されているため、スイッチ７は精度良くカム５を検出することができる。
【００３５】
以上、実施形態の液晶モニタ３の回動状態検出機構によれば、回動軸４の回動状態を伝達するカム５の軸穴５ａに軸部６ａで可動に連結され、カム５の回動状態に応じてＯＮ／ＯＦＦ動作するスイッチ７を搭載するスイッチホルダー６を、本体１に固定される固定部材８にフローティング状態で支持しているので、回動軸４の軸部４ａとカム５の軸穴５ａが偏芯していても、精度良く角度検出することができる。
従って、スイッチ７の取付位置調整の必要がなく、生産性が向上する。
【００３６】
（変形例）
以上の実施形態においては、カメラの液晶モニタとしたが、本発明はこれに限定されるものではなく、他の表示部や、他に各種機器のカバーやハンドルなど他の回動部材であってもよい。
さらに、カメラに限らず、カメラを備える携帯電話など他の電子機器であってもよい。
また、伝達部材のカム形状、スイッチ搭載部材の形状、フローティング支持部材の形状、及び開閉角度は実施形態に限らず任意であり、その他、具体的な細部構造等についても適宜に変更可能であることは勿論である。
【００３７】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
本体に対し回動軸を介して回動可能に組み付けられる回動部材と、
前記回動軸の回動状態を伝達する伝達部材と、
前記伝達部材に可動状態で連結され、前記伝達部材の回動状態に応じてＯＮ／ＯＦＦ動作する回動状態検出スイッチを搭載するスイッチ搭載部材と、
前記本体に固定され、前記スイッチ搭載部材をフローティング状態で支持するフローティング支持部材と、を備えることを特徴とする回動部材の回動状態検出機構。
＜請求項２＞
前記伝達部材は、前記回動軸の一端の軸部から軸線方向に離れた位置に配置されることを特徴とする請求項１に記載の回動部材の回動状態検出機構。
＜請求項３＞
前記伝達部材は、前記回動状態検出スイッチのレバーを押してスイッチＯＮ動作させる  カムであることを特徴とする請求項１または２に記載の回動部材の回動状態検出機構。
＜請求項４＞
前記スイッチ搭載部材は、
前記伝達部材の軸穴に挿入される軸部を一端部に有して、
前記フローティング支持部材に対し上下動及び回動可能で左右方向のみ規制した状態でフローティング支持される突起を他端部に有していることを特徴とする請求項１から３のいずれか一項に記載の回動部材の回動状態検出機構。
＜請求項５＞
前記フローティング支持部材は、前記スイッチ搭載部材の一部を挿入して上下動及び回動可能で左右方向のみ規制した状態でフローティング支持する溝を有していることを特徴とする請求項１から４のいずれか一項に記載の回動部材の回動状態検出機構。
＜請求項６＞
請求項１から５のいずれか一項に記載の回動状態検出機構付きの回動部材を備えることを特徴とする電子機器。
【符号の説明】
【００３８】
１  本体
２  固定板
３  回動部材
４  回動軸
４ａ  軸部
５  伝達部材
５ａ  軸穴
６  スイッチ搭載部材
６ａ  軸部
６ｂ  スイッチ取付部
６ｃ  組付け用突起
６ｄ  切欠き
７  回動状態検出スイッチ
７ａ  レバー
８  フローティング支持部材
８ａ  組込部
８ｂ  開口
８ｃ  溝
【図１】
2015068940.tif 000003
【図２】
2015068940.tif 000004
【図３】
2015068940.tif 000005
【図４】
2015068940.tif 000006
【図５】
2015068940.tif 000007
【図６】
2015068940.tif 000008
【図７】
2015068940.tif 000009
【図８】
2015068940.tif 000010
【図９】
2015068940.tif 000011
【図１０】
2015068940.tif 000012